(57)【要約】【課題】遮熱用のシート材の上に載ることなく施工することを可能とし、野地板と下面に光沢のある遮熱用のシート材との間に空気層を形成できるようにする。【解決手段】野地板２上にその軒側から棟側に向かって所定間隔を存して平行に複数本の桟木５を配設するとともに、遮熱用のシート材８を介して瓦６を葺設する屋根構造において、遮熱用のシート材８は所定の長さ及び幅寸法を有する複数枚のシート部９により構成され、複数枚のシート部９は桟木５の上面部間にそれぞれ掛け渡されて配置される。【選択図】図１
2009179972.tif 000002
【特許請求の範囲】
【請求項１】
野地板上にその軒側から棟側に向かって所定間隔を存して平行に複数本の桟木を配設するとともに、遮熱用のシート材を介して瓦を葺設する屋根構造において、
前記遮熱用のシート材は所定の長さ及び幅寸法を有する複数枚のシート部により構成され、
前記複数枚のシート部は前記桟木の上面部間にそれぞれ掛け渡されて配置されることを特徴とする屋根構造。
【請求項２】
前記瓦は、その棟側の端部が前記桟木に固定具によって固定されることを特徴とすることを特徴とする請求項１記載の屋根構造。
【請求項３】
前記瓦の棟側端部に前記固定具によって固定され、前記シート部の軒側を係止させる係止具を備えることを特徴とする請求項２記載の屋根構造。
【請求項４】
前記シート部は帯状に形成され、隣合う桟木の上面部間にその長手方向に沿ってそれぞれ配設されることを特徴とする請求項１記載の屋根構造。
【請求項５】
前記桟木は、断面凹状に形成され、
前記瓦は、その棟側端部を前記桟木の凹部内に係合させて取り付けられることを特徴とする請求項４記載の屋根構造。
【請求項６】
前記シート部は帯状に形成され、複数本の桟木の上面部間にその長手方向に対し直交する方向に沿って配設されることを特徴とする請求項１記載の屋根構造。
【発明の詳細な説明】
【技術分野】
【０００１】
本発明は、屋根構造に関し、特に屋根裏の温度上昇を簡易な施工で効果的に防止できる技術に関する。
【背景技術】
【０００２】
家屋は、野地板の上に瓦を葺設するが、太陽からの放射熱により、瓦や野地板を通して熱が屋根裏に伝わり温度が上昇するという問題があり、従来から様々な暑さ対策がとられてきた。
【０００３】
この対策の一つとして、野地板の上に遮熱シート、アルミ蒸着シート、アルミ箔等の遮熱用のシート材を使用する技術（例えば、特許文献１参照）が知られている。
【特許文献１】特開２００５−０６１１４６号公報
【発明の開示】
【発明が解決しようとする課題】
【０００４】
しかしながら、従来においては、野地板の上に全面的に遮熱シートの光沢面を上にシートをひいて施工していた。施工時には作業員が遮熱用のシート材の上に乗った状態で作業しなければならなかったため、すべり、強度なまぶしさが問題になった。
【０００５】
また、反射面を上にするため、ほこりやよごれ、雨水による酸化などにより反射の効果も低下する。また、透湿性がない等の問題があった。
【０００６】
このため、遮熱シートの光沢を下に向ける場合は、遮熱効果を得るのに遮熱シートと野地板の間に空気層を有することが必要であった。
【０００７】
本発明は上記事情に着目してなされたもので、その目的とするところは、遮熱用のシート材の上に載ることなく施工することを可能とし、野地板と遮熱用のシート材との間に空気層を形成できるようにした屋根構造を提供することにある。
【課題を解決するための手段】
【０００８】
上記課題を解決するため、請求項１記載の発明は、野地板上にその軒側から棟側に向かって所定間隔を存して平行に複数本の桟木を配設するとともに、遮熱用のシート材を介して瓦を葺設する屋根構造において、前記遮熱用のシート材は所定の長さ及び幅寸法を有する複数枚のシート部により構成され、前記複数枚のシート部は前記桟木の上面部間にそれぞれ掛け渡されて配置されることを特徴とする。
【発明の効果】
【０００９】
本発明によれば、遮熱用のシート材の光沢面を下向きにして野地板との間に空気層を設けたことにより、放射熱を低減させて遮熱効果を長期にわたり維持させるとともに、野地板上の通気をはかり湿気の排出も確保でき、しかも安全で簡易な施工が可能となる。
【発明を実施するための最良の形態】
【００１０】
以下、本発明の実施の形態を図面を参照して詳細に説明する。  
図１は本発明の第１の実施の形態である屋根構造１を示す縦断面図である。
【００１１】
屋根構造１は野地板２を備え、この野地板２上には防水シート３が敷かれているとともに、棟軒方向に所定間隔を存して平行に複数本の桟木５（以後５ａ，５ｂと称することもある）が配設されている。また、野地板２上には、棟軒方向及びこの棟軒方向に直交する方向に沿って複数個の瓦６（以後６ａ，６ｂと称することもある）が葺設されている。瓦６は、その棟側端部を桟木５にそれぞれ係止させて取り付けられている。さらに、野地板２と複数個の瓦６との間には、例えば、遮熱シート、アルミ蒸着シート、アルミ箔などの遮熱用のシート材８が介在されている。
【００１２】
この遮熱用のシート材８は所定の長さ及び幅寸法を有する帯状の複数枚のシート部９（以後９ａ〜９ｃと称することもある）によって構成され、これら複数枚のシート部９は隣合う桟木５の上面部間にそれぞれ掛け渡されている。このように複数枚のシート部９を隣合う桟木５の上面部間にそれぞれ掛け渡すことにより、これら複数枚のシート部９と野地板２との間にはそれぞれ空気層１１が形成されている。
【００１３】
一方、上記した瓦６の棟側端部には凸部１４が突設され、この凸部１４に釘やビスなどの緊結材１２が挿入されて桟木５に打ち込まれ、或いはねじ込まれることにより瓦６が固定されるようになっている。さらに、この瓦６の凸部１４の上面部には係止具１３が設けられ、この係止具１３は上記緊結材１２によって凸部１４に固定されている。
【００１４】
係止具１３は図３にも示すように、基部１３ａと、この基部１３ａの先端部側に一体的に形成され、斜め上方に向かって折曲される三角形状の先端突起部１３ｂとを有して構成されている。遮熱シート材８の各シート部９は、その軒側が図２にも示すように係止具１３の先端突起部１３ｂに係止されている。
【００１５】
なお、係止具１３としては、図４(ａ)〜（ｃ）に示すように、その先端突起部１３ｂに括れ部１３ｃを形成するようにしても良い。これによれば、係止具１３の係止力をより高めることができ、シート部９の外れを確実に防止することができる。
【００１６】
また、図５に示すように、係止具１３の基部１３ａの後端部側に下方に直角に折曲される折曲片部１３ｄを一体的に形成し、この折曲片部１３ｄの下端部を瓦６に当接させて位置決めするようにしても良い。これによれば、緊結材１２による係止具１３の取付固定時に係止具１３の向きを変えることなく、所定の向きで取り付けることが可能となる。
【００１７】
また、図６（ａ），（ｂ）に示すように、係止具１３の先端突起部１３ｂを傾斜させることなく、垂直に形成するようにしても良い。これによれば、例えば、図７に示すように、係止具１３の先端突起部１３ｂの位置を揃えることなく係止具１３を取り付けてもシート部９を係止させることが可能となり、その取り付けが容易になる。但し、係止具１３の先端突起部１３ｂは、シート部９を係止させたのちは折り曲げてシート部９の外れを防止する必要がある。
【００１８】
次に、上記した遮熱用のシート材８の各シート部９及び瓦６の取付方法について説明する。
【００１９】
まず、図１に示すように最も軒側に位置する桟木（図示しない）とこの桟木に隣り合う上方の桟木５ａの上面部間にシート部９ａを掛け渡す、ついで、瓦６ａの棟側端部を桟木５ａに係止させたのち、その凸部１４の上面部に係止具１３の基部１３ａを載置し、その穴１３ｅ(図３に示す)と凸部１４の穴に緊結材１２を挿通させて桟木５ａに打ち込み、或いはねじ込むことにより瓦６ａを桟木５ａに固定するとともに、係止具１３を瓦６の凸部１４に固定する。この瓦６ａは桟木５ａの長手方向に沿って横一列に複数個葺設され、上記したと同様にして係止具１３とともに固定される。
【００２０】
このように、瓦６ａを桟木５ａの長手方向に沿って横一列方向に複数個葺設したのち、これら瓦６ａの棟側端部の上にシート部９ｂの軒側を被せて図２にも示すように係止具１３の先端突起部１３ｂに係止させるとともに、シート部９ｂの棟側を隣合う上方の桟木５ｂの上面部に被せる。こののち、瓦６ｂの棟側端部を桟木５ｂに係止させ、軒側端部を既に葺設されている瓦６ａの棟側端部の上面部に重ね合わせる。ついで、上記したと同様にして緊結材１２により瓦６ｂの棟側端部を桟木５ｂに固定するととに、係止具１３を瓦６ｂの凸部１４に固定する。この瓦６ｂも桟木５ｂの長手方向に沿って複数個、横一列に葺設される。以後、順次同様にして野地板２の全面にシート部９及び瓦６を配置して葺設を終える。
【００２１】
上記したように、この実施の形態によれば、遮熱用のシート材８を所定の長さ及び幅寸法を有する帯状の複数枚のシート部９によって構成し、これら複数枚のシート部９を隣合う桟木５の上面部間にそれぞれ掛け渡して固定するため、シート部９の上に作業員が乗ることなく施工することが可能となり、複数枚のシート部９と野地板２との間にそれぞれ空気層１１を形成することができる。
【００２２】
従って、上方からの輻射熱を遮熱用のシート材８の各シート部９で反射させるとともに、空気層１１でも遮ることができ、屋根裏の温度上昇を抑えることが可能になるとともに、野地板２からの湿気も空気層１１を介して排出することができる。
【００２３】
図８は、この実施の形態の屋根構造の遮熱効果を従来の屋根構造と比較して示すグラフ図である。
【００２４】
このグラフは、一日における屋根裏の温度変化を示すもので、図８中ａ線は、この実施の形態における温度変化を示し、ｂ線は従来構造の温度変化を示す。なお、図８中ｃ線は、外気の温度変化を示すものである。
【００２５】
このグラフからも分かるように、この実施の形態によれば、昼間における屋根裏の温度上昇を従来構造よりも大幅に低減することが可能となる。
【００２６】
また、この実施の形態では、遮熱用のシート材８の各シート部９の棟側を緊結材１２によって桟木５に固定するため、施工後にシート部９が垂れたり、落下したりすることがない。
【００２７】
さらに、遮熱用のシート材８の各シート部９の軒側を係止具１３の先端突起部１３ｂに係止させるため、シート部９を仮止めした状態で施工することができ作業性も向上できる。
【００２８】
なお、この実施の形態では、各シート部９の軒側を係止具１３に係止させたが、係止具１３に代えてブチルテープなどを用いて接着するようにしても良い。
【００２９】
図９及び図１０は、本発明の第２の実施の形態である屋根構造を示すものである。
【００３０】
なお、第１の実施の形態で示した部分と同一機能部分には同一符号を付し、その詳細な説明は省略する。
【００３１】
この第２の実施の形態では、桟木１５が段差を有するように断面Ｌ字状に形成され、高位面部と低位面部を有している。
【００３２】
シート部９ａは、その軒側が最も軒側に位置する桟木（図示しない）の低位面部上に位置し、棟側が隣合う上部側の桟木１５ａの高位面部上に位置するように桟木間に掛け渡される。シート部９ｂは、その軒側が桟木１５ａの低位面部上に位置し、棟側が桟木１５ｂの高位面部上に位置するように桟木間に掛け渡される。シート部９ｃは、その軒側が桟木１５ｂの低位面部上に位置し、棟側が隣り合う上部側の桟木（図示しない）の高位面部上に位置するように桟木間に掛け渡される。なお、シート部９の軒側及び棟側はそれぞれ針１７によって桟木１５に固定される。
【００３３】
この第２の実施の形態によっても、上記第１の実施の形態と同様の作用効果を得ることができる。
【００３４】
図１１及び図１２は、本発明の第３の実施の形態である屋根構造を示すものである。
【００３５】
なお、第１の実施の形態で示した部分と同一機能部分には同一符号を付し、その詳細な説明は省略する。
【００３６】
この第３の実施の形態では、桟木２０が断面凹状に形成され、その凹部２０ａ内に瓦６ａ，６ｂの棟側端部が係合されて位置決めされている。遮熱用の各シート部９ａ〜９ｃの軒側及び棟側は、桟木２０の上面部にそれぞれ位置されて針１７によって固定されている。
【００３７】
この第３の実施の形態によっても、上記第１の実施の形態と同様の作用効果を得ることができる。
【００３８】
図１３及び図１４は、本発明の第４の実施の形態である屋根構造を示すものである。
【００３９】
なお、第１の実施の形態で示した部分と同一機能部分には同一符号を付し、その詳細な説明は省略する。
【００４０】
上記第１の実施の形態では、遮熱用のシート材８の各シート部９を桟木５の長手方向に沿って配設したが、この第４の実施の形態では、遮熱用のシート材８の各シート部９を桟木５の長手方向に対して直交する方向、即ち、軒棟方向に沿って配設している。
【００４１】
この第４の実施の形態によっても、上記第１の実施の形態と同様の作用効果を得ることができる。
【００４２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４３】
【図１】本発明の第１の実施の形態に係る屋根構造を示す縦断面図。
【図２】図１の屋根構造の遮熱用のシート部の取付状態を示す斜視図。
【図３】図１のシート部を係止する係止具を示す平面図。
【図４】図１のシート部を係止する係止具の他の例を示す平面図。
【図５】図１のシート部を係止する係止具の他の例を示す斜視図。
【図６】図１のシート部を係止する係止具のさらに他の例を示す斜視図。
【図７】図６の係止具を用いてシート部を係止させた状態を示す斜視図。
【図８】図１の屋根構造の屋根裏の一日の温度変化を従来と比較して示すグラフ図。
【図９】本発明の第２の実施の形態である屋根構造を示す縦断面図。
【図１０】図９の遮熱用のシート部の取付状態を示す図。
【図１１】本発明の第３の実施の形態である屋根構造を示す縦断面図。
【図１２】図１１の遮熱用のシート部の取付状態を示す図。
【図１３】本発明の第４の実施の形態である屋根構造を示す平面図。
【図１４】図１３の屋根構造を示す斜視図。
【符号の説明】
【００４４】
２…野地板、５、１５、２０…桟木、６…瓦、８…遮熱用のシート材、９…複数枚のシート部、１２…釘（固定具）、１３…係止具、２０ａ…桟木の凹部。
【図１】
2009179972.tif 000003
【図２】
2009179972.tif 000004
【図３】
2009179972.tif 000005
【図４】
2009179972.tif 000006
【図５】
2009179972.tif 000007
【図６】
2009179972.tif 000008
【図７】
2009179972.tif 000009
【図８】
2009179972.tif 000010
【図９】
2009179972.tif 000011
【図１０】
2009179972.tif 000012
【図１１】
2009179972.tif 000013
【図１２】
2009179972.tif 000014
【図１３】
2009179972.tif 000015
【図１４】
2009179972.tif 000016